(57)【要約】      （修正有）【課題】改質触媒に析出する炭素を蓄積量に応じ除去し、高効率の改質器システム及び燃料電池システム並びにその運転方法を提供する。【解決手段】改質器２と、固体酸化物形燃料電池６と、を備える燃料電池システム１であって、原燃料ガス供給手段３と、水蒸気供給手段４と、それらの制御手段５と、未改質ガスＧ２の温度又は圧力を検出する第１の検出手段７と、改質ガスＧ３の温度又は圧力を検出する第２の検出手段８と、を備え、第１及び第２の検出手段により検出された温度又は圧力に基づき、未改質ガスＧ２と改質ガスＧ３との間の温度差又は圧力差が所定の範囲内である場合には、水蒸気Ｓ１の量Ｓと原燃料ガスＧ１の量Ｃとの比率Ｓ／Ｃが通常値となり、上記の差が所定の範囲外である場合にはＳ／Ｃが通常値よりも高い少なくとも１種の高設定値となるように、原燃料ガス供給手段３及び水蒸気供給手段４を制御する。【選択図】図１
2013197037.tif 000002
【特許請求の範囲】
【請求項１】
原燃料ガスＧ１と水蒸気Ｓ１との混合ガスである未改質ガスＧ２を改質触媒と接触させることにより、固体酸化物形燃料電池の燃料として用いられる改質ガスＧ３を生成する改質器を備える改質器システムであって、
前記改質器に原燃料ガスＧ１を供給する原燃料ガスＧ１供給手段と、
前記改質器に水蒸気Ｓ１を供給する水蒸気Ｓ１供給手段と、
前記原燃料ガスＧ１供給手段及び前記水蒸気Ｓ１供給手段を制御する制御手段と、
前記未改質ガスＧ２の温度又は圧力を検出する第１の検出手段と、
前記改質ガスＧ３の温度又は圧力を検出する第２の検出手段と、
を備え、
前記制御手段は、前記第１及び第２の検出手段により検出された温度又は圧力に基づき、前記未改質ガスＧ２と前記改質ガスＧ３との間の温度差又は圧力差が所定の範囲内である場合には、前記改質器に供給される水蒸気Ｓ１の量Ｓと前記改質器に供給される原燃料ガスＧ１の量Ｃとの比率Ｓ／Ｃが通常値となり、前記温度差又は圧力差が前記所定の範囲外である場合にはＳ／Ｃが前記通常値よりも高い少なくとも１種の高設定値となるように、前記原燃料ガスＧ１供給手段及び前記水蒸気Ｓ１供給手段を制御する改質器システム。
【請求項２】
原燃料ガスＧ１と水蒸気Ｓ１との混合ガスである未改質ガスＧ２を改質触媒と接触させることにより改質ガスＧ３を生成する改質器と、前記改質ガスＧ３を燃料として用いる固体酸化物形燃料電池と、を備える燃料電池システムであって、
前記改質器に原燃料ガスＧ１を供給する原燃料ガスＧ１供給手段と、
前記改質器に水蒸気Ｓ１を供給する水蒸気Ｓ１供給手段と、
前記原燃料ガスＧ１供給手段及び前記水蒸気Ｓ１供給手段を制御する制御手段と、
前記未改質ガスＧ２の温度又は圧力を検出する第１の検出手段と、
前記改質ガスＧ３の温度又は圧力を検出する第２の検出手段と、
を備え、
前記制御手段は、前記第１及び第２の検出手段により検出された温度又は圧力に基づき、前記未改質ガスＧ２と前記改質ガスＧ３との間の温度差又は圧力差が所定の範囲内である場合には、前記改質器に供給される水蒸気Ｓ１の量Ｓと前記改質器に供給される原燃料ガスＧ１の量Ｃとの比率Ｓ／Ｃが通常値となり、前記温度差又は圧力差が前記所定の範囲外である場合にはＳ／Ｃが前記通常値よりも高い少なくとも１種の高設定値となるように、前記原燃料ガスＧ１供給手段及び前記水蒸気Ｓ１供給手段を制御する燃料電池システム。
【請求項３】
原燃料ガスＧ１と水蒸気Ｓ１との混合ガスである未改質ガスＧ２を改質触媒と接触させることにより改質ガスＧ３を生成する改質器と、前記改質ガスＧ３を燃料として用いる固体酸化物形燃料電池と、を備える燃料電池システムの運転方法であって、
前記未改質ガスＧ２と前記改質ガスＧ３との間の温度差又は圧力差が所定の範囲内である場合には、前記改質器に供給される水蒸気Ｓ１の量Ｓと前記改質器に供給される原燃料ガスＧ１の量Ｃとの比率Ｓ／Ｃを通常値に設定し、前記温度差又は圧力差が前記所定の範囲外である場合にはＳ／Ｃを前記通常値よりも高い少なくとも１種の高設定値に設定する運転方法。
【発明の詳細な説明】
【技術分野】
【０００１】
本発明は、改質器システム、燃料電池システム、及びその運転方法に関する。
【背景技術】
【０００２】
燃料投入型の固体酸化物形燃料電池では、水素を含む改質ガスが燃料として用いられる。改質ガスは、改質器において、原燃料ガスと水蒸気との混合ガスである未改質ガスを改質触媒と接触させることにより生成される。
【０００３】
改質器の動作時には、原燃料ガス由来の炭素が改質触媒に析出する現象が起こる。改質触媒に炭素が析出し、蓄積すると、改質触媒は活性が低下し、劣化してしまう。このため、従来より、改質触媒に析出する炭素の蓄積量を減らすことのできる技術が望まれていた。例えば、改質器に供給される酸素の原子数Ｏと、改質器に供給される原燃料に含まれる炭素の原子数Ｃとの比（Ｏ／Ｃ）の値が、改質器の定常運転時における適正範囲よりも大きな値を取るように、原燃料の供給量と酸素の供給量とのうちの少なくとも一方を制御することによって、改質触媒に析出してくる炭素を除去するための炭素除去処理を実行することを特徴とする改質器の制御方法が公知である（特許文献１）。
【先行技術文献】
【特許文献】
【０００４】
【特許文献１】特開２００２−１３４１５１号公報
【発明の概要】
【発明が解決しようとする課題】
【０００５】
しかし、特許文献１に記載の方法が採用する炭素除去処理では、改質器内の炭素の蓄積量は、改質器の運転状態の履歴に応じて予測に基づき算出されたものであり、現実の炭素蓄積量を必ずしも示すものではなかった。そのため、炭素の酸化除去が完了しているにもかかわらず、高いＯ／Ｃ値に設定したまま運転を続けて改質触媒を傷めたり、改質触媒に析出した炭素がまだ残っているにもかかわらず、Ｏ／Ｃを低い値に戻したりしてしまうという不都合が生じる恐れがあった。
【０００６】
本発明は、改質触媒に析出する炭素をその現実の蓄積量に応じた操作により除去しつつ、高い効率で運転することのできる改質器システム、燃料電池システム、及び燃料電池システムの運転方法を提供することを目的とする。
【課題を解決するための手段】
【０００７】
本発明は、原燃料ガスと水蒸気との混合ガスである未改質ガスを改質触媒と接触させることにより、固体酸化物形燃料電池の燃料として用いられる改質ガスを生成する改質器を備える改質器システムであって、前記改質器に原燃料ガスを供給する原燃料ガス供給手段と、前記改質器に水蒸気を供給する水蒸気供給手段と、前記原燃料ガス供給手段及び前記水蒸気供給手段を制御する制御手段と、前記未改質ガスの温度又は圧力を検出する第１の検出手段と、前記改質ガスの温度又は圧力を検出する第２の検出手段と、を備え、前記制御手段は、前記第１及び第２の検出手段により検出された温度又は圧力に基づき、前記未改質ガスと前記改質ガスとの間の温度差又は圧力差が所定の範囲内である場合には、前記改質器に供給される水蒸気の量Ｓと前記改質器に供給される原燃料ガスの量Ｃとの比率Ｓ／Ｃが通常値となり、前記温度差又は圧力差が前記所定の範囲外である場合にはＳ／Ｃが前記通常値よりも高い少なくとも１種の高設定値となるように、前記原燃料ガス供給手段及び前記水蒸気供給手段を制御する改質器システムに関する。
【０００８】
本発明は、原燃料ガスと水蒸気との混合ガスである未改質ガスを改質触媒と接触させることにより改質ガスを生成する改質器と、前記改質ガスを燃料として用いる固体酸化物形燃料電池と、を備える燃料電池システムであって、前記改質器に原燃料ガスを供給する原燃料ガス供給手段と、前記改質器に水蒸気を供給する水蒸気供給手段と、前記原燃料ガス供給手段及び前記水蒸気供給手段を制御する制御手段と、前記未改質ガスの温度又は圧力を検出する第１の検出手段と、前記改質ガスの温度又は圧力を検出する第２の検出手段と、を備え、前記制御手段は、前記第１及び第２の検出手段により検出された温度又は圧力に基づき、前記未改質ガスと前記改質ガスとの間の温度差又は圧力差が所定の範囲内である場合には、前記改質器に供給される水蒸気の量Ｓと前記改質器に供給される原燃料ガスの量Ｃとの比率Ｓ／Ｃが通常値となり、前記温度差又は圧力差が前記所定の範囲外である場合にはＳ／Ｃが前記通常値よりも高い少なくとも１種の高設定値となるように、前記原燃料ガス供給手段及び前記水蒸気供給手段を制御する燃料電池システムに関する。
【０００９】
本発明は、原燃料ガスと水蒸気との混合ガスである未改質ガスを改質触媒と接触させることにより改質ガスを生成する改質器と、前記改質ガスを燃料として用いる固体酸化物形燃料電池と、を備える燃料電池システムの運転方法であって、前記未改質ガスと前記改質ガスとの間の温度差又は圧力差が所定の範囲内である場合には、前記改質器に供給される水蒸気の量Ｓと前記改質器に供給される原燃料ガスの量Ｃとの比率Ｓ／Ｃを通常値に設定し、前記温度差又は圧力差が前記所定の範囲外である場合にはＳ／Ｃを前記通常値よりも高い少なくとも１種の高設定値に設定する運転方法に関する。
【発明の効果】
【００１０】
本発明によれば、改質触媒に析出する炭素をその現実の蓄積量に応じた操作により除去しつつ、高い効率で運転することのできる改質器システム及び燃料電池システム並びにその燃料電池システムの運転方法を提供することができる。
【図面の簡単な説明】
【００１１】
【図１】本発明の一実施形態に係る燃料電池システムの概略を示す図である。
【図２】Ｓ／Ｃ（改質器に供給される水蒸気の量Ｓと改質器に供給される原燃料ガスの量Ｃとの比率）と水素又は一酸化炭素の生成量との関係を示すグラフである。
【図３】Ｓ／Ｃと各反応生成物の選択率（モル％）との関係を示すグラフである。
【図４】本発明の一実施形態に係る燃料電池システムの動作を示すフローチャートである。
【発明を実施するための形態】
【００１２】
以下、本発明の実施形態について図面を参照しながら詳細に説明する。
［燃料電池システム］
まず、本発明の一実施形態に係る燃料電池システムについて図１を参照しながら説明する。
本実施形態の燃料電池システム１は、改質器２と、原燃料ガス供給手段３と、水蒸気供給手段４と、制御手段５と、固体酸化物形燃料電池６と、第１の検出手段７と、第２の検出手段８と、を備える。
【００１３】
改質器２は、原燃料ガスＧ１と水蒸気Ｓ１との混合ガスである未改質ガスＧ２を改質触媒と接触させることにより、改質ガスＧ３を生成する。
原燃料ガス供給手段３は、改質器２に原燃料ガスＧ１を供給する。
水蒸気供給手段４は、改質器２に水蒸気Ｓ１を供給する。
制御手段５は、第１の検出手段７及び第２の検出手段８により検出された温度又は圧力に基づき、原燃料ガス供給手段３及び水蒸気供給手段４を制御する。
固体酸化物形燃料電池６は、改質器２により生成された改質ガスＧ３を燃料として用いる。
第１の検出手段７は、未改質ガスＧ２の温度又は圧力を検出する。
第２の検出手段８は、改質ガスＧ３の温度又は圧力を検出する。
【００１４】
改質器２には、未改質ガス供給ラインＬ１及び改質ガス供給ラインＬ２が接続されている。未改質ガス供給ラインＬ１を通じて、未改質ガスＧ２が改質器２に供給される。また、改質ガス供給ラインＬ２を通じて、改質ガスＧ３が改質器２から固体酸化物形燃料電池６へと供給される。改質器２が生成する改質ガスＧ３は、原燃料ガスＧ１と水蒸気Ｓ１との水蒸気改質反応により生じた水素を含むガスである。改質触媒としては、例えば、ルテニウム系触媒及びニッケル系触媒が挙げられる。
「ライン」とは、流路、経路、管路等の総称である。
【００１５】
原燃料ガスＧ１としては、例えば、分子中に炭素と水素とを含む化合物の気体及びそれら化合物からなる混合物の気体が挙げられ、より具体的には、メタン、エタン、プロパン、ブタン、ＬＮＧ（液化天然ガス）、ＬＰＧ（液化石油ガス）、都市ガス、ガソリン、ナフサ、灯油、軽油等の炭化水素、メタノール、エタノール等のアルコール、ジメチルエーテル等のエーテルが挙げられる。
【００１６】
原燃料ガス供給手段３には、原燃料ガス供給ラインＬ３が接続されている。原燃料ガス供給ラインＬ３は、未改質ガス供給ラインＬ１及び後述の水蒸気供給ラインＬ４と合流部Ｊ１で接続する。原燃料ガス供給手段３は、原燃料ガス供給ラインＬ３及び未改質ガス供給ラインＬ１を介して、改質器２に接続されている。原燃料ガス供給手段３は、原燃料ガス供給ラインＬ３及び未改質ガス供給ラインＬ１を通じて、改質器２に原燃料ガスＧ１を供給する。
【００１７】
水蒸気供給手段４には、水蒸気供給ラインＬ４が接続されている。水蒸気供給手段４は、水蒸気供給ラインＬ４及び未改質ガス供給ラインＬ１を介して、改質器２に接続されている。水蒸気供給手段４は、水蒸気供給ラインＬ４及び未改質ガス供給ラインＬ１を通じて、改質器２に水蒸気Ｓ１を供給する。
【００１８】
制御手段５は、改質器２に供給される水蒸気Ｓ１の量Ｓと、改質器２に供給される原燃料ガスＧ１の量Ｃとの比率Ｓ／Ｃが、所定のタイミングで、通常値と該通常値よりも高い少なくとも１種の高設定値との間で切り替わるように、原燃料ガス供給手段３及び水蒸気供給手段４を制御する。
本実施形態では、制御手段５は、原燃料ガス供給手段３、水蒸気供給手段４、第１の検出手段７、及び第２の検出手段８と電気的に接続されている。そして、制御手段５は、第１の検出手段７及び第２の検出手段８により検出された温度又は圧力に基づき、未改質ガスＧ２と改質ガスＧ３との間の温度差又は圧力差が所定の範囲内である場合には、Ｓ／Ｃの値が通常値となり、上記温度差又は圧力差が上記所定の範囲外である場合には、Ｓ／Ｃの値が前記通常値よりも高い少なくとも１種の高設定値となるように、原燃料ガス供給手段３による原燃料ガスＧ１の供給量及び水蒸気供給手段４による水蒸気Ｓ１の供給量を制御する。
【００１９】
固体酸化物形燃料電池６は、改質ガス供給ラインＬ２を介して、改質器２に接続されている。固体酸化物形燃料電池６は、複数積層された固体酸化物形燃料電池セル（図示せず）を備える。この固体酸化物形燃料電池６は、改質ガス供給ラインＬ２を通じて改質器２から供給された改質ガスＧ３を燃料として用い、複数積層された固体酸化物形燃料電池セルによって発電を行う。固体酸化物形燃料電池セルは、アノードと、カソードと、該アノード及び該カソードの間に設けられた電解質層と、を備える。電解質層は、８００℃〜１０００℃の温度で酸化物イオンを伝導する。アノードは、酸化物イオンと改質ガスＧ３中の水素とを反応させて、電子及び水を発生させる。カソードは、空気中の酸素と電子とを反応させて、酸化物イオンを発生させる。
【００２０】
第１の検出手段７は、未改質ガス供給ラインＬ１の途中に設けられている。第１の検出手段７は、未改質ガスＧ２の温度又は圧力を検出した結果を制御手段５に送信する。
【００２１】
第２の検出手段８は、改質ガス供給ラインＬ２の途中に設けられている。第２の検出手段８は、改質ガスＧ３の温度又は圧力を検出した結果を制御手段５に送信する。
【００２２】
ここで、制御手段５について説明するために用いた比率Ｓ／Ｃの通常値及び高設定値という用語について説明する。図２は、Ｓ／Ｃの値と水素又は一酸化炭素の生成量との関係を示すグラフである。図３は、Ｓ／Ｃの値と各反応生成物の選択率（モル％）との関係を示すグラフである。
Ｓ／Ｃの通常値は、さまざまなＳ／Ｃの値で水蒸気改質反応の平衡計算を行った場合に、水素の選択率（反応生成物中に占める水素の割合）が高く、かつ、単位原燃料ガスあたりの水素の生成量が多くなるＳ／Ｃ値として決定される。
一方、Ｓ／Ｃの高設定値は、同様の平衡計算を行ったときに、通常値に比して水素の選択率は低くなるものの、炭素の選択率を低く抑えることのできるＳ／Ｃ値として決定される。
【００２３】
具体的には、Ｓ／Ｃの通常値及び高設定値は、原燃料ガスＧ１であるメタン１ｋｍｏｌと水蒸気Ｓ１との８００℃における水蒸気改質反応の平衡計算を行い、Ｓ／Ｃの値と反応生成物の生成量との関係、及びＳ／Ｃの値と反応生成物の選択率との関係に基づいて決定する。
【００２４】
図２及び図３に示す結果から、Ｓ／Ｃの値が大きくなるほど、単位原燃料ガスあたりの水素の生成量は多くなるが（図２参照）、水素の選択率は低くなる（図３参照）。炭素の選択率は、Ｓ／Ｃの値が３未満の場合には、Ｓ／Ｃの値が小さくなるにつれて増加幅が大きくなり、炭素の析出が起こりやすくなることがわかる。一方、炭素の選択率は、Ｓ／Ｃの値が３以上の場合には、Ｓ／Ｃの値が大きくなるにつれて低くなる。
よって、Ｓ／Ｃの通常値としては、例えば、２〜３が挙げられ、好ましくは２．５〜３である。一方、Ｓ／Ｃの高設定値としては、例えば、３〜７が挙げられ、好ましくは５〜６である。Ｓ／Ｃの通常値が上記の範囲内であると、改質触媒への炭素の析出は生じるものの、改質器２を用いて高い収率で水素を生成することができる。また、Ｓ／Ｃの高設定値が上記の範囲内であると、水素の選択率は低くなるが、水素の生成を中断することなく、改質触媒に析出した炭素の酸化除去を行うことができる。
【００２５】
次に、本発明の一実施形態に係る燃料電池システムの動作について図４を参照しながら説明する。
【００２６】
図４に示すステップＳＴ１において、制御手段５は、Ｓ／Ｃが通常値となるように、原燃料ガス供給手段３及び水蒸気供給手段４を制御する。具体的には、制御手段５は、原燃料ガス供給手段３による原燃料ガスＧ１の供給量及び水蒸気供給手段４による水蒸気Ｓ１の供給量の少なくとも一方を制御することにより、Ｓ／Ｃを通常値に設定する。
【００２７】
ステップＳＴ２において、制御手段５は、第１の検出手段７及び第２の検出手段８により検出された温度又は圧力に基づき、未改質ガスＧ２と改質ガスＧ３との間の温度差又は圧力差が所定の範囲外であるか否かを判定する。ステップＳＴ２において、制御手段５により、上記温度差又は圧力差が所定の範囲外である（ＹＥＳ）と判定された場合に、処理はステップＳＴ３へ移行する。また、ステップＳＴ２において、制御手段５により、上記温度差又は圧力差が所定の範囲外ではない（ＮＯ）と判定された場合に、処理はステップＳＴ２へ戻る。
【００２８】
ステップＳＴ３において、制御手段５は、Ｓ／Ｃが高設定値となるように、原燃料ガス供給手段３及び水蒸気供給手段４を制御する。具体的には、制御手段５は、原燃料ガス供給手段３による原燃料ガスＧ１の供給量及び水蒸気供給手段４による水蒸気Ｓ１の供給量の少なくとも一方を制御することにより、Ｓ／Ｃを高設定値に設定する。
【００２９】
ステップＳＴ４において、制御手段５は、第１の検出手段７及び第２の検出手段８により検出された温度又は圧力に基づき、未改質ガスＧ２と改質ガスＧ３との間の温度差又は圧力差が所定の範囲内であるか否かを判定する。ステップＳＴ４において、制御手段５により、上記温度差又は圧力差が所定の範囲内である（ＹＥＳ）と判定された場合に、処理はステップＳＴ１へ戻る。また、ステップＳＴ４において、制御手段５により、上記温度差又は圧力差が所定の範囲内ではない（ＮＯ）と判定された場合に、処理はステップＳＴ４へ戻る。
【００３０】
ここで、ステップＳＴ２及びＳＴ４における「所定の範囲」について説明する。未改質ガスＧ２と改質ガスＧ３との間の温度差又は圧力差は、改質触媒に析出した炭素の量に応じて変動する。即ち、水蒸気改質反応は吸熱反応であるが、改質触媒に炭素が析出して水蒸気改質反応が起こりにくくなると、吸熱量が減り、上記温度差は小さくなる。また、炭素の析出により改質触媒には目詰まりが発生し、気体が改質触媒を通過しにくくなるため、未改質ガスＧ２の圧力が高まり、上記の圧力差は大きくなる。よって、上記温度差又は圧力差の測定値は、改質触媒に析出した炭素の量を反映している。ステップＳＴ２及びＳＴ４において、所定の範囲としては、例えば、改質触媒に析出した炭素の量が所定の閾値以下である場合に対応する上記温度差又は圧力差の範囲が挙げられる。
【００３１】
本発明の一実施形態に係る燃料電池システム１によれば、例えば、以下のような効果が奏される。
図３に示すように、Ｓ／Ｃの値が小さいほど、水素の選択率が高い。よって、Ｓ／Ｃを通常値に設定して燃料電池システム１を運転することにより、未改質ガスＧ２と改質ガスＧ３との間の温度差又は圧力差が所定の範囲外となるまでは改質器２を用いて高い収率で水素を生成しつつ、高い効率で固体酸化物形燃料電池６による発電を行うことができる。その間に改質触媒に析出した炭素は、前記温度差又は圧力差が前記所定の範囲外となってＳ／Ｃが通常値から高設定値に切り替わった後で、酸化除去される。Ｓ／Ｃの値が通常値である場合と比較すると、Ｓ／Ｃの値が高設定値である場合には、水素の選択率が低くなるものの、水素は生成されているので、固体酸化物形燃料電池６による発電を中断することなく、改質触媒に析出した炭素の酸化除去を行うことができる。
【００３２】
このように、燃料電池システム１では、未改質ガスＧ２と改質ガスＧ３との間の温度差又は圧力差に基づいて、現実に炭素が改質触媒に析出しているか否かをモニターしながら、Ｓ／Ｃの切り替えを行うことができる。よって、炭素の酸化除去が完了しているにもかかわらず、Ｓ／Ｃを高設定値に設定したまま運転を続けたり、改質触媒に析出した炭素がまだ残っているにもかかわらず、Ｓ／Ｃを通常値に戻したりしてしまうという不都合を解消することができる。
【００３３】
なお、図１において、未改質ガス供給ラインＬ１の途中に設けられた第１の検出手段７を用いる代わりに、原燃料ガス供給ラインＬ３の途中に設けられた第１の検出手段７ａ（図示せず。説明の便宜上の符号である。）と水蒸気供給ラインＬ４の途中に設けられた第１の検出手段７ｂ（図示せず）とからなる第１の検出手段を用いてもよい。第１の検出手段７ａは、原燃料ガスＧ１の温度又は圧力を検出し、第１の検出手段７ｂは、水蒸気Ｓ１の温度又は圧力を検出する。原燃料ガスＧ１の温度又は圧力の検出結果と、水蒸気Ｓ１の温度又は圧力の検出結果とから、原燃料ガスＧ１と水蒸気Ｓ１との混合ガスである未改質ガスＧ２の温度又は圧力を計算することができる。このように、第１の検出手段は、未改質ガスＧ２の温度又は圧力を直接検出してもよいし、原燃料ガスＧ１の温度又は圧力の検出結果と水蒸気Ｓ１の温度又は圧力の検出結果とから計算により未改質ガスＧ２の温度又は圧力を検出してもよい。
【００３４】
また、Ｓ／Ｃの高設定値を複数設定してもよい。複数設定した高設定値のうち、最も低い高設定値で燃料電池システム１を運転し、析出炭素の酸化除去を図っても、所定時間経過後に、未改質ガスＧ２と改質ガスＧ３との間の温度差又は圧力差が所定の範囲内ではないと制御手段５により判定された場合には、もう一段高い高設定値に切り替えて燃料電池システム１を運転し、上記温度差又は圧力差が所定の範囲内であると制御手段５により判定されるまでこの操作を繰り返してもよい。
【００３５】
［改質器システム］
本発明の一実施形態に係る改質器システムは、図１に示す改質器システム１０である。改質器システム１０は、改質器２と、原燃料ガス供給手段３と、水蒸気供給手段４と、制御手段５と、第１の検出手段７と、第２の検出手段８と、を備え、本発明の一実施形態に係る燃料電池システム１に包含される。
【００３６】
［燃料電池システムの運転方法］
本発明の一実施形態に係る燃料電池システム１によれば、未改質ガスＧ２と改質ガスＧ３との間の温度差又は圧力差が所定の範囲内である場合にはＳ／Ｃを通常値に設定し、上記温度差又は圧力差が上記所定の範囲外である場合にはＳ／Ｃを高設定値に設定する燃料電池システムの運転方法を実施することができる。
【符号の説明】
【００３７】
１  燃料電池システム
２  改質器
３  原燃料ガス供給手段
４  水蒸気供給手段
５  制御手段
６  固体酸化物形燃料電池
７  第１の検出手段
８  第２の検出手段
１０  改質器システム
Ｌ１  未改質ガス供給ライン
Ｌ２  改質ガス供給ライン
Ｌ３  原燃料ガス供給ライン
Ｌ４  水蒸気供給ライン
【図１】
2013197037.tif 000003
【図２】
2013197037.tif 000004
【図３】
2013197037.tif 000005
【図４】
2013197037.tif 000006